(57)【要約】【課題】  排水栓がオーバーフロー管に配設したレリースワイヤを介して、オーバーフロー口に摺動収納される操作釦で遠隔開閉操作される装置にあって、そのオーバーフロー口のオーバーフロー流入口を水槽壁に突出する筒状取付部材の側面壁全周囲や、操作釦の前頂面全面に開口するのでは、空気を吸い込み易く、オーバーフロー水の流れが芳しくなかった。また、見目も悪かった。【解決手段】  オーバーフロー口内には、排水栓の開閉操作をする操作釦が摺動可能に収納され、オーバーフロー流入口を操作釦の下方部に形成し、操作釦自体に隠れて口金部材上方から見えないようにする遠隔操作排水栓装置である。【選択図】図１
2008038573.tif 000002
【特許請求の範囲】
【請求項１】
排水栓の開閉がレリースワイヤを介して遠隔操作されるそのレリースワイヤをオーバーフロー管内に配設し、レリースワイヤ一端の操作部が水槽のオーバーフロー口に取付けられる排水栓装置にあって、オーバーフロー口がオーバーフローエルボと口金部材とによる水槽壁の挟持で形成され、その口金部材内には、排水栓の開閉操作をする操作釦が摺動可能に収納され、オーバーフロー流入口を操作釦の下方部に形成し、操作釦自体に隠れて口金部材上方から見えないようにすることを特徴とする遠隔操作排水栓装置。
【請求項２】
口金部材内には、オーバーフロー流入口を下側部に形成した操作釦が、オーバーフロー流入口を操作釦自体に隠れて見えないよう摺動可能に収納され、排水栓の閉操作である操作釦の摺動飛出し操作によって、オーバーフロー流入口が開かれ、オーバーフロー水のオーバーフロー管への連通をすることを特徴とする請求項１記載の遠隔操作排水栓装置。
【請求項３】
オーバーフロー流入口を操作釦の下方奥部に形成し、排水栓の閉操作で操作釦が飛出しているときには、操作釦自体に隠れて口金部材の上方部から見えないようにすることを特徴とする請求項１記載の遠隔操作排水栓装置。
【請求項４】
オーバーフロー流入口を扁平横広にすることによって、貯水量を大きくすることができるとともに、オーバーフロー水の大量の流れができることを特徴とする請求項１乃至３のいずれか１項に記載の遠隔操作排水栓装置。
【請求項５】
オーバーフロー口が、口金部材のオーバーフローエルボへの締着で水槽壁を挟持して形成され、その締着部分が口金部材及び操作釦に隠れて見えないようにすることを特徴とする請求項１乃至４のいずれか１項に記載の遠隔操作排水栓装置。
【請求項６】
口金部材が、外側へ張出す頂面フランジと内側へ張出す底面フランジとを備えた筒状体であり、操作釦が、下方部にオーバーフロー流入口を開設した盲筒体であって、オーバーフロー口が、口金部材の底面フランジをオーバーフローエルボへ締着することによって、オーバーフローエルボのフランジと口金部材の頂面フランジとによるパッキンを介しての水槽壁の挟持で形成され、このオーバーフロー口の口金部材の筒体内を排水栓の閉操作で操作部の操作軸に繋げられている操作釦を摺動飛出させることを特徴とする請求項５記載の遠隔操作排水栓装置。
【請求項７】
操作釦による排水栓の開操作で、操作釦と口金部材との頂面がともにほぼ面一にすることを特徴とする請求項１乃至６のいずれか１項に記載の遠隔操作排水栓装置。
【発明の詳細な説明】
【技術分野】
【０００１】  本発明は、浴槽、洗面器、流し等の排水栓の開閉がレリースワイヤを介して遠隔操作される遠隔操作排水栓装置であって、レリースワイヤをオーバーフロー管内に配設されているものに係る。
【背景技術】
【０００２】  従来、浴槽、洗面器、流し等の排水栓の開閉がレリースワイヤを介して遠隔操作される遠隔操作排水栓装置は、一般にはよく知られている。その中でも、オーバーフロー管内にレリースワイヤを配設し、該レリースワイヤの一端の操作部が支持体を介してオーバーフロー口に支承されたものがある。（特許文献１、２）【０００３】  これらのオーバフロー管内にレリースワイヤを配設した遠隔操作排水栓装置は、口金部材による水槽壁の挟持で形成されるオーバーフロー口へ螺合取付けられる有底筒状取付部材にレリースワイヤの一端の操作部が支持体を介して支承されると共に、操作部の操作軸と繋げられる操作釦が摺動出没し、取付部材には、その側面壁全周囲に開口するオーバーフロー流入口を有し、その取付部材をカバーするカバーが備えられているものである。（特許文献１）【０００４】  また、オーバーフロー管内にレリースワイヤを配設したユニットを形成し、該ユニットのオーバーフロー管上端側は、その操作側継手と固定用筒体の口金部材とで水槽壁を挟持し、操作側継手内に固定用筒体の口金部材で支持される支持体を介して設けられたレリースワイヤの操作部の操作軸に係合する操作釦（操作体）が、オーバーフロー流入口を前頂面の全面に開口し、固定用筒体の口金部材内を摺動出没するものである。（特許文献２）【０００５】
【特許文献１】  実公平７−１４４５５
【特許文献２】  特開２００４−１８３２２５
【発明の開示】
【発明が解決しようとする課題】
【０００６】  ところで、口金部材による水槽壁の挟持で形成されたオーバーフロー口へ螺合取付けられた筒状取付部材に操作釦が摺動出没されるオーバーフロー管内にレリースワイヤを配設した遠隔操作排水栓装置は、筒状取付部材が水槽壁面より突出しているとともにオーバーフロー流入口をその突出した筒状取付部材の側面壁全周囲に開口させ、この側面壁全周囲に開口したオーバーフロー流入口が目障りとなるのでカバーをもってカバーしているものであるが、いずれにしても水槽壁より突出するものであることは使用時の邪魔となり、使いかってが悪い上、見目が良くなかった。【０００７】  また、オーバーフロー管内にレリースワイヤを配設したユニットを形成し、そのオーバーフロー管上端側の操作側継手と固定用筒体の口金部材との水槽壁を挟持する遠隔操作排水栓装置は、固定用筒体の口金部材が水槽壁面よりあまり突出していないものの、オーバーフロー流入口が操作釦の前頂面の全面に開口されており、オーバーフロー水の流れを充分に満たす機能形態でなく、また、全体が露出しているため、見てくれが芳しくなかった。【０００８】  水槽壁に突出する筒状取付部材の側面壁全周囲に、また、操作釦の前頂面全面に開口されたオーバーフロー流入口は、見目が良くないばかりでなく、開口が全周囲、全面にひろげられているので、空気を吸い込み易くしている。
いずれにしても、これらのオーバーフロー流入口は、オーバーフロー水の流れ具合がよくなく、流れを良くするには、扁平横広の流入口にすることが望ましく、また、扁平横広にすることによって空気の吸い込みがなくなり、オーバーフロー水のみの流れとなって、排水性を向上させることになる。【０００９】  そこで、本発明は、浴槽、洗面器、流し等の排水栓の開閉がレリースワイヤを介して遠隔操作される遠隔操作排水栓装置におけるレリースワイヤがオーバーフロー管内に配設され、そして、排水栓の開閉を操作する操作釦がオーバーフロー口に摺動可能に収納されたその操作釦の下方部に扁平横広のオーバーフロー流入口を形成し、オーバーフロー口に摺動出没する操作釦自体でオーバーフロー流入口が隠れて見えないようにし、また、排水栓の開操作で操作釦が押し込まれたときには、口金部材と操作釦との互いの頂面がほぼ面一となることを目的とするものである。
【課題を解決するための手段】
【００１０】  本発明の遠隔操作排水栓装置は、排水栓の開閉がレリースワイヤを介して遠隔操作されるそのレリースワイヤをオーバーフロー管内に配設し、レリースワイヤ一端の操作部が水槽のオーバーフロー口に取付けられ、このオーバーフロー口がオーバーフローエルボと口金部材とによる水槽壁の挟持で形成され、その口金部材内には、排水栓の操作釦が摺動可能に収納され、オーバーフロー流入口を操作釦の下方部に形成し、操作釦自体に隠れて口金部材上方から見えないようにするものである。【００１１】  本発明の遠隔操作排水栓装置は、口金部材には、オーバーフロー流入口を下側面に形成した操作釦が、オーバーフロー流入口を操作釦自体に隠れて見えないよう摺動可能に収納され、排水栓の閉操作である操作釦の摺動飛出し操作によってオーバーフロー流入口が開かれ、オーバーフロー水のオーバーフロー管への連通をするものである。【００１２】  本発明の遠隔操作排水栓装置は、オーバーフロー流入口を操作釦の下方奥部に形成し、排水栓の閉操作で操作釦が飛出しているときには、排水釦自体に隠れて口金部材の上方から見えないようにすることである。【００１３】  本発明の遠隔操作排水栓装置は、オーバーフロー流入口を扁平横広にすることによって、貯水量を大きくすることができるとともに、オーバーフロー水の大量の流れができるものである。【００１４】  本発明の遠隔操作排水栓装置は、オーバーフロー口が、口金部材のオーバフローエルボへの締着で水槽壁を挟持して形成され、その締着部分が口金部材及び操作釦に隠れてみえないようにするものである。【００１５】  本発明の遠隔操作排水栓装置は、口金部材が、外側へ張出す頂面フランジと、内側へ張出す底面フランジとを備えた筒状体であり、操作釦が、下方部にオーバーフロー流入口を開設した盲筒体であって、オーバーフロー口が、口金部材の底面フランジをオーバーフローエルボへ締着することによって、オーバーフローエルボのフランジと口金部材の頂面フランジとによるパッキンを介しての水槽壁の挟持で形成され、このオーバーフロー口の口金部材の筒体内を排水栓の閉操作で操作部の操作軸に繋げられている操作釦を摺動飛出させるものである。【００１６】  本発明の遠隔操作排水栓装置は、操作釦による排水栓の閉操作で、操作釦と口金部材との頂面がともにほぼ面一にするものである。
【発明の効果】
【００１７】  本発明の遠隔操作排水栓装置は、オーバーフロー流入口を扁平横広にすることによって、水槽の貯水量を大きくすることができるとともに、オーバーフロー水の大量の流れができ、操作釦の下方部に形成することによって、オーバーフロー流入口へ空気を吸い込むことがなく、オーバーフロー水のみの流れ込みができ、オーバーフロー管内でのサイフォン現象を効率良く発生させることができる。
また、排水栓の閉操作でオーバーフロー水が流れているときには、オーバーフロー流入口が操作釦の下方部であるので、操作釦を水没させることがなく、操作釦を衛生的に操作できる。
そして、操作釦による排水栓の開操作では、操作釦と口金部材とが互いの頂面をほぼ面一とし、排水栓の閉操作時で、水槽壁面より操作釦を突出させていても、操作釦のみの飛出しであるだけで邪魔にならない。
更に、排水栓の閉操作で操作釦が飛出しているときには、オーバーフロー流入口が操作釦自体に隠れて上方から見えないようにでき、見目よくできる。
【発明を実施するための最良の形態】
【００１８】  本発明は、排水栓の開閉がレリースワイヤを介して遠隔操作されるそのレリースワイヤをオーバーフロー管内に配設し、レリースワイヤ端の操作部が水槽のオーバーフロー口に取付けられ、オーバーフロー口内を摺動する操作釦で操作する遠隔操作排水栓装置の実施の形態を図面に基づいて説明する。
【実施例１】
【００１９】  本発明の遠隔操作排水栓装置の実施の形態を図１によって説明する。
水槽の底壁が排水口金具部材１１と排水管Ｃを接続した固定金具１２とでパッキン１３を介して挟持締着され、排水口Ｂを形成し、該排水口には排水栓１が設けられ、この排水栓の開閉をレリースワイヤＡがその一方端の可動部１５を排水栓１に繋げて遠隔操作する。
水槽の側壁が口金部材２１とオーバーフロー管Ｅに接続したオーバーフローエルボ２２とでパッキン２３を介して挟持締着され、オーバーフロー口Ｄを形成し、該オーバーフロー口内には、操作釦２が設けられ、オーバーフロー管Ｅ内に配設されたレリースワイヤＡの他方端の操作部２５がその操作軸２５１により操作釦２に繋げられているので、操作釦２の押し込み、飛出しで、排水栓１の開閉操作がされる。【００２０】  操作釦２、及びオーバーフロー口Ｄは、図２、３、４、５、で示す如く、水槽の貯水量を大きくするとともに、オーバフロー水の流れを大量にするために、扁平、横広の楕円形状を呈し、オーバーフローエルボ２２と口金部材２１とによる水槽壁の挟持締着でオーバーフロー口Ｄが形成され、このオーバーフロー口Ｄ内には、排水栓１の開閉を操作する操作釦２が摺動可能に収納され、該操作釦２には、その下方部、即ち、下側部に、図６に示す如く、オーバーフロー流入口２６が形成され、このオーバーフロー流入口は、扁平横広の操作釦２の下側部に形成されているので扁平横広となり、水槽の貯水量を大きくするとともに、オーバーフロー水の流れを大量にすることができる。【００２１】  そして、このオーバーフロー流入口２６は、操作釦２自体に隠れて見えないように、操作釦２がオーバーフロー口Ｄ内を摺動し、排水栓１の閉操作が操作釦２の摺動飛出し操作されると、オーバーフロー流入口２６がひらかれて、オーバーフロー水のオーバーフロー管Ｅへの連通をする。【００２２】  オーバーフロー口Ｄが扁平横広の楕円形状であるので、口金部材２１とオーバーフローエルボ２２とによる締着は、口金部材２１が、外側へ張出す頂面フランジ２１１と内側へ張出す底面フランジ２１２とを備えた筒状体であり、底面フランジ２１２をオーバーフローエルボ２２の内段部２７にビス２８締着することによって、オーバーフローエルボ２２のフランジ２２１と口金部材２１の頂面フランジ２１１とによるパッキン２３を介しての水槽壁の挟持がされる。
そして、操作釦２は、オーバーフローエルボ２２に支持されたレリースワイヤＡ端の操作部２５の操作軸２５１に繋げられ、オーバーフロー口Ｄ内を摺動可能にしているが、この操作釦２自体によって、上記締着部分、及びレリースワイヤＡの操作部２５が隠れて見えないようになり、見目がよい。【００２３】  操作釦２の頂面２９と口金部材２１の頂面とが、操作釦による排水栓１の開操作のとき、ほぼ面一になって、取扱いの邪魔にならない。
【実施例２】
【００２４】  本発明の遠隔操作排水栓装置のその他の実施の形態を図７によって説明する。
排水栓の開閉がレリースワイヤＡを介して遠隔操作されるそのレリースワイヤをオーバーフロー管Ｅ内に配設し、レリースワイヤ端の操作部２５が水槽のオーバーフロー口に取付けられ、該操作部に、排水栓の開閉操作する操作釦２ａが繋げられて上記オーバーフロー口内を摺動可能に収納されている点では、実施例１記載と同じである。【００２５】  オーバーフロー口は、水槽の側壁がオーバーフロー管Ｅに接続したオーバーフローエルボ２２ａのフランジ２２１ａと、パッキン２３ａを介してこれに螺合する口金部材２１ａのフランジ２１１ａとによって挟持締着され、形成される。
オーバーフローエルボ２２ａに口金部材２１ａを螺合締着するに当たって、レリースワイヤＡの操作部２５を支持する支持部材２４ａを予め螺合取付け、操作部２５の操作軸２５１と、オーバーフローエルボ２２ａに螺合締着された口金部材２１ａ内に摺動可能に収納された操作釦２ａとを繋げる。この繋げには、操作釦２ａ内の頂面２９ａに、筒状突部３４ａ、その外周側に筒状ガイド体３３ａを形成し、筒状突部３４ａに操作軸２５１をスナップ係合するとともに、筒状ガイド体３３ａを操作部２５にガイド摺動するよう遊嵌する。【００２６】  操作釦２ａは、図８、９、１０、１１、１２、１３で示す如く、その下方部、即ち、下方奥部にオーバーフロー流入口２６ａを設け、該オーバーフロー流入口は、操作釦２ａの下半側底部と下半側奥部とを開口し、下半側底部には平行目網３０ｂを、下半側奥部には四角目網３０ａを張設し、結局、扁平、且つ横広の流入口を形成していることになる。
なお、３１ａは、操作釦２ａがオーバーフロー口を摺動し易くするガイド突起であって、操作釦２ａが、操作部２５に筒状ガイド体３３ａで、また、オーバーフロー口内をガイド突起３１ａでガイド摺動され、このガイド摺動により、操作釦２ａが振れることなく、円滑な押込み、飛出しをすることができることになる。【００２７】  操作釦２ａが、以上のとおり、下半側底部及び下半側奥部に開口されたオーバーフロー流入口２６ａが扁平横広であるので、結局は、オーバーフロー流入口の位置を高く設定することができ、貯水量を大きくでき、オーバーフロー水の流れを大量にすることができ、空気を吸い込むことなく、オーバーフロー水のみの流れとなるので、オーバーフロー管Ｅ内のサイフォン現象が効果的に発生しやすくできる。そして、オーバーフロー流入口２６ａが操作釦２ａの下方部になるので、操作釦２ａが水没することなく、衛生的である。
排水栓の開操作で、操作釦２ａの押込み状態においては、口金部材２１ａとその操作釦の頂面２９ａがほぼ面一となるので、邪魔にならず、取扱い易い。
そして、排水栓の閉操作で、操作釦２ａの飛出し状態においては、オーバーフロー流入口２６ａが操作釦２ａ自体に隠れて見えないので、見目がよいものである。
【図面の簡単な説明】
【００２８】
【図１】  遠隔操作排水栓装置の全体図である。
【図２】  （ａ）遠隔操作排水栓装置のオーバーフロー口（操作釦の押込み状態）の縦断面図である。（ｂ）遠隔操作排水栓装置のオーバーフロー口（操作釦の飛出し状態）の縦断面図である。
【図３】  遠隔操作排水栓装置のオーバーフローエルボの背面図である。
【図４】  遠隔操作排水栓装置のオーバーフロー口の横断面図である。
【図５】  遠隔操作排水栓装置のオーバーフロー口の正面図である。
【図６】  操作釦の下側面図である。
【図７】  遠隔操作排水栓装置のその他の実施例のオーバーフロー口の縦断面図である。
【図８】  遠隔操作排水栓装置のオーバーフロー口の正面図である。
【図９】  操作釦の正面図である。
【図１０】  操作釦の側面図である。
【図１１】  操作釦の裏面図である。
【図１２】  操作釦の縦断面図（図９のＡ−Ａ断面）である。
【図１３】  操作釦の底面図である。
【符号の説明】
【００２９】  Ａ              レリースワイヤ
Ｂ              排水口
Ｃ              排水管
Ｄ              オーバーフロー口
Ｅ              オーバーフロー管
１              排水栓
１１            排水口具金部材
１２            固定金具
１３            パッキン
１５            可動部
２    ２ａ      操作釦
２１  ２１ａ    口金部材
２１１          頂面フランジ
２１２          底面フランジ
２２  ２２ａ    オーバーフローエルボ
２２１          フランジ
２３  ２３ａ    パッキン
２４ａ          支持部材
２５            操作部
２５１          操作軸
２６            オーバーフロー流入口
２７            内段部
２８            ビス
２９  ２９ａ    頂面
３０ａ          四角目網
３０ｂ          平行目網
３１ａ          ガイド突起
３２ａ          側壁
３３ａ          筒状ガイド体
３４ａ          筒状突部
【図１】
2008038573.tif 000003
【図２】
2008038573.tif 000004
【図３】
2008038573.tif 000005
【図４】
2008038573.tif 000006
【図５】
2008038573.tif 000007
【図６】
2008038573.tif 000008
【図７】
2008038573.tif 000009
【図８】
2008038573.tif 000010
【図９】
2008038573.tif 000011
【図１０】
2008038573.tif 000012
【図１１】
2008038573.tif 000013
【図１２】
2008038573.tif 000014
【図１３】
2008038573.tif 000015